(57)【要約】【課題】  クリップを使用せずに、原稿を原稿台にセットすることができる縦型スキャナユニットを提供する。【解決手段】  原稿台３上に帯電されたシート５を貼り付けた縦型スキャナユニット。【選択図】        図２
2006189662.tif 000002
【特許請求の範囲】
【請求項１】
原稿台面にセットした原稿の画像を読取走行体を走査することにより読取る縦型スキャナユニットにおいて、前記原稿台面に帯電可能なシートを配置し、帯電したシート面に原稿を貼り付け可能としたことを特徴とする縦型スキャナユニット。
【請求項２】
原稿台面にセットした原稿の画像を読取走行体を走査することにより読取る縦型スキャナユニットにおいて、前記原稿台を帯電可能な材質で構成し、この原稿台を帯電させることにより該原稿面に原稿を貼り付け可能としたことを特徴とする縦型スキャナユニット。
【請求項３】
請求項１又は２記載の縦型スキャナユニットにおいて、前記シートまたは前記原稿台を帯電させる帯電ユニットを備えたことを特徴とする縦型スキャナユニット。
【請求項４】
請求項２記載の縦型スキャナユニットにおいて、前記読取走行体に前記原稿台を帯電させる帯電手段を設けたことを特徴とする縦型スキャナユニット。
【請求項５】
請求項１、２、３又は４の何れか一項に記載の縦型スキャナユニットを備えたことを特徴とする画像形成装置。
【発明の詳細な説明】
【技術分野】
【０００１】
本発明は、縦型スキャナユニット及びその縦型スキャナユニットを備えた画像形成装置に関する。
【背景技術】
【０００２】
近年、パソコンの普及によりパソコンと接続して使用する周辺器が市場に多く出回るようになった。プリンタ、スキャナなどがこれである。これら周辺器は設置スペースを取り、限られたスペースしかないオフィスや家庭では設置場所の確保に苦慮している。特にスキャナは、横置きした場合、原稿サイズ以上のスペースが必要であり、多くのスペースをとる周辺器の一つに挙げられる。
そこで、スキャナを立てて設置することで省スペースを図る技術が提案されている。例えば、特許文献１には、プリンタに縦型スキャナユニットを設置したシステムが提案されている。
【特許文献１】特開２００４−１５８９５７公報
【発明の開示】
【発明が解決しようとする課題】
【０００３】
従来の縦型スキャナユニットにおいては、原稿をセットする際に、クリップを使って原稿両端を挟み、それから圧板を閉めるという作業が必要であった。このような原稿セット方式の場合、クリップで止めた原稿の端は読み取れない、また、圧板を閉めないと原稿が原稿台から浮いてしまい、焦点深度の浅い読取機構を採用している場合には、良好な画像を得ることができないなどの不都合がある。
本発明はこのような背景に鑑みてなされたものであり、クリップを使用せずに、原稿を原稿台にセットすることができる縦型スキャナユニット及び画像形成装置を提供することを目的とする。
【課題を解決するための手段】
【０００４】
上記目的を達成するために、請求項１記載の発明は、原稿台面にセットした原稿の画像を読取走行体を走査することにより読取る縦型スキャナユニットにおいて、前記原稿台面に帯電可能なシートを配置し、帯電したシート面に原稿を貼り付け可能としたことを特徴とする。
請求項２の発明は、原稿台面にセットした原稿の画像を読取走行体を走査することにより読取る縦型スキャナユニットにおいて、前記原稿台を帯電可能な材質で構成し、この原稿台を帯電させることにより該原稿面に原稿を貼り付け可能としたことを特徴とする。
請求項３の発明は、請求項１又は２記載の縦型スキャナユニットにおいて、前記シートまたは前記原稿台を帯電させる帯電ユニットを備えたことを特徴とする。
請求項４の発明は、請求項２記載の縦型スキャナユニットにおいて、前記読取走行体に前記原稿台を帯電させる帯電手段を設けたことを特徴とする。
請求項５の発明に係る画像形成装置は、請求項１、２、３又は４の何れか一項に記載の縦型スキャナユニットを備えたことを特徴とする。
【発明の効果】
【０００５】
本発明によれば、静電気によって原稿を原稿台に吸着させることで原稿がずれ落ちることなく、圧板を閉めることができる。また、原稿は原稿台に密着しているため、圧板を閉めなくとも良好な画像を読み取ることができ、横置きスキャナと変わらない操作性で使用が可能となる。
【発明を実施するための最良の形態】
【０００６】
以下、本発明の実施の形態を図面に従って説明する。
図１は本発明の実施形態に係る縦型スキャナユニットの外観斜視図である。本縦型スキャナユニットは、スキャナ本体１に原稿押えのための圧板２を開閉自在に設け、またスキャナ本体１前面に原稿台３を取り付ける。原稿４はスキャナ本体１の上方から原稿台３にセットすることになる。
即ち、縦型に配置されたスキャナ本体１の前面に設けた原稿台３（透明板）を開閉するために、スキャナ本体１の下辺には圧板２が上下方向へ開閉自在に軸支されている。原稿台３上に原稿をセットし、圧板２を閉じることにより、スキャナ本体１内部の走査手段（読取り光学系、読取走行体）による原稿の読取りが行われる。
本発明の縦型スキャナユニットの一実施形態は、原稿台３面にセットした原稿４の画像を読取走行体を走査することにより読取る縦型スキャナユニットにおいて、原稿台面に帯電可能なシート５を配置し、帯電したシート面に原稿を貼り付け可能としたことを特徴とするものである。
また、本発明の他の実施形態は、原稿台３面にセットした原稿４の画像を読取走行体１０を走査することにより読取る縦型スキャナユニットにおいて、原稿台を帯電可能な材質で構成し、この原稿台を帯電させることにより該原稿面に原稿を貼り付け可能としたことを特徴とするものである。
更に本発明の他の実施形態は、シート５または原稿台３を帯電させる帯電ユニット（帯電手段）７、１０を備えたことを特徴とするものである。
更に本発明の他の実施形態は、読取走行体１０に原稿台を帯電させる帯電手段を設けたことを特徴とするものである。
更に、上記各実施形態に係る縦型スキャナユニットは、複写機、プリンタ、ファクシミリ装置などの画像形成装置の読み取り部に組み込むことができる。
【実施例１】
【０００７】
図２は実施例１に係る原稿台帯電方法の説明図である。圧板２は図を見易くするために省略している。実施例１ではガラス等からなる透明板としての原稿台３を直接帯電させるのではなく、原稿台面に対して添設されるシート５を帯電させることにより、シート５の面上に原稿４を吸着させる。つまり、原稿４を吸着させるためのシート５を原稿台３に貼り付けて帯電し、このシート５を介して原稿４を原稿台３に吸着させる。
まず、帯電されていない状態のシート５を原稿台３に接着部材で貼り付ける。そして、帯電ブラシ６を有する帯電ユニット（帯電手段）７に電源８から電荷を供給しながら、ユーザーがこの帯電ユニット７をレール上のガイド９に沿って移動させることでシート５を帯電させることができる。
帯電されたシート５を介して原稿４を原稿台３にセットすることで、原稿４が静電気により原稿台面に吸着されるため、手を離しても原稿４が原稿台３から滑り落ちることがない。そのため、圧板２を閉める場合に原稿を手で支えておく必要がない、また、圧板２を閉めなくても手を離してスキャンすることができるため、横置きスキャナユニットと変わらない操作性を実現することができる。
【実施例２】
【０００８】
実施例２では、原稿台３を帯電可能な透明アクリル板で構成する。これにより、シート材貼り付けの際の浮きや気泡といった画像に影響する問題が低減されるばかりか、部品点数、工数も低減できる。帯電の方法は実施例１と同じである。
【実施例３】
【０００９】
図３は実施例３に係る原稿台帯電方法の説明図である。実施例３では、帯電可能な材料から成る原稿台３の内側に配置される読取走行体１０に、原稿台３内面に摺接するようにして帯電ブラシ（帯電手段）１１を設ける。符号１２は読取ラインである。
原稿台３への帯電は、帯電ブラシ１１に電荷を掛けながら読取走行体１０を読取動作と同じように走査距離だけ移動させることで行う。ユーザーは、原稿設置前にこの操作を行い、原稿台３を帯電させてから原稿セットを行うことで実施例１、２と同じく横置きスキャナと変わらない操作性を実現することができる。
また、実施例３では、読取走行体１０が帯電ユニットの機能を果たしているため、コンパクト化が可能となり、尚且つ読取走行体１０の駆動系を用いるためユーザーはボタン一つで帯電動作を行うことが可能となる。
【図面の簡単な説明】
【００１０】
【図１】本発明の実施形態に係る縦型スキャナユニットの外観斜視図。
【図２】実施例１に係る原稿台帯電方法の説明図。
【図３】実施例３に係る原稿台帯電方法の説明図。
【符号の説明】
【００１１】
１  スキャナ本体
２  圧板
３  原稿台
４  原稿
５  シート
６  帯電ブラシ
７  帯電ユニット
９  ガイド
【図１】
2006189662.tif 000003
【図２】
2006189662.tif 000004
【図３】
2006189662.tif 000005